(57)【特許請求の範囲】
【請求項１】
発光部と複数の光電変換素子がライン状に並ぶ光電変換部と前記光電変換部に蓄積された電荷を転送する転送部とを有するイメージセンサから出力される複数画素からなる画像データを取得する第１取得手段と、
前記転送部に発生するスミアに関し、前記発光部が発光する第１の色成分に対応し、補正対象の画素に対応する基準スミア量の情報を取得する第２取得手段と、
前記発光部が第２の色成分を発光中に前記転送部を介して転送されることにより前記第１取得手段が取得した画像データの前記第１の色成分の輝度値と前記第１取得手段が取得した画像データの前記第２の色成分の輝度値との差と、前記基準スミア量の情報とに基づいて、前記第１取得手段が取得した画像データの輝度値を補正する補正手段とを有することを特徴とする画像処理装置。
【請求項２】
前記補正手段は、前記第１取得手段が取得した画像データの前記第１の色成分の輝度値と前記第２の色成分の輝度値との差と前記基準スミア量の情報とに基づいて、前記第１の色成分の輝度値の補正量を特定し、該特定された第１の色成分の輝度値の補正量に基づき、前記第１取得手段が取得した画像データの前記第１の色成分の輝度値を補正することを特徴とする請求項１に記載の画像処理装置。
【請求項３】
前記補正手段は、前記第１取得手段が取得した画像データの前記第１の色成分の輝度値と前記第２の色成分の輝度値との差と、前記基準スミア量が発生するときの前記第１の色成分の輝度値と前記基準スミア量が発生するときの前記第２の色成分の輝度値との差と、前記第２取得手段により取得した基準スミア量の情報とに基づいて、前記第１の色成分の補正量を特定することを特徴とする請求項２に記載の画像処理装置。
【請求項４】
前記補正量は、所定の方向において同じ位置にある前記第１取得手段が取得した画像データの前記第１の色成分の輝度値と前記第２の色成分の輝度値との差に基づいて特定されることを特徴とする請求項２又は３に記載の画像処理装置。
【請求項５】
前記転送部から転送された電荷をＡ／Ｄ変換する変換部をさらに有することを特徴とする請求項１乃至４のいずれか１項に記載の画像処理装置。
【請求項６】
前記イメージセンサから出力された画像データを保持するメモリをさらに有することを特徴とする請求項１乃至５のいずれか１項に記載の画像処理装置。
【請求項７】
前記発光部は原稿に光を照射し、
前記光電変換部は、前記原稿により反射された光を受光することを特徴とする請求項１乃至６のいずれか１項に記載の画像処理装置。
【請求項８】
前記基準スミア量の情報は、予め測定により得られることを特徴とする請求項１乃至７のいずれか１項に記載の画像処理装置。
【請求項９】
前記発光部に含まれる３つの光源の発光光量を一定に保持する保持手段をさらに有することを特徴とする請求項１乃至８のいずれか１項に記載の画像処理装置。
【請求項１０】
前記発光部は、前記第１の色成分を発光した後に続けて前記第２の色成分を発光することを特徴とする請求項１乃至９のいずれか１項に記載の画像処理装置。
【請求項１１】
前記基準スミア量は、前記複数の光電変換素子の配列方向において補正対象となる各画素に固有の値であることを特徴とする請求項１乃至１０のいずれか１項に記載の画像処理装置。
【請求項１２】
前記第１取得手段は、前記イメージセンサにより１ライン毎に原稿の画像を読み取ることにより得られた画像データを取得することを特徴とする請求項１乃至１１のいずれか１項に記載の画像処理装置。
【請求項１３】
前記発光部は、１ライン毎に各色成分を時分割で発光することを特徴とする請求項１乃至１２のいずれか１項に記載の画像処理装置。
【請求項１４】
前記第２の色成分の輝度値は、前記複数の光電変換素子の配列方向において前記第１の色成分の輝度値と同じ画素位置にある輝度値であることを特徴とする請求項１乃至１３のいずれか１項に記載の画像処理装置。
【請求項１５】
前記イメージセンサを備えることを特徴とする請求項１乃至１４のいずれか１項に記載の画像処理装置。
【請求項１６】
記録媒体に記録剤を用いて画像を記録する記録手段をさらに備えることを特徴とする請求項１乃至１５のいずれか１項に記載の画像処理装置。
【請求項１７】
発光部と複数の光電変換素子がライン状に並ぶ光電変換部と前記光電変換部に蓄積された電荷を転送する転送部とを有するイメージセンサが出力した画像データの処理方法であって、画像処理装置は、
前記イメージセンサから出力される複数画素からなる画像データを取得し、
前記転送部に発生するスミアに関し、前記発光部が発光する第１の色成分に対応し、補正対象の画素に対応する基準スミア量の情報を取得し、
前記発光部が第２の色成分を発光中に前記転送部を介して転送されることにより、前記イメージセンサが出力した前記画像データの前記第１の色成分の輝度値と前記画像データの前記第２の色成分の輝度値との差と、前記基準スミア量の情報とに基づいて、前記イメージセンサが出力した画像データの輝度値を補正することを特徴とする画像データの処理方法。
【発明の詳細な説明】
【技術分野】
【０００１】
本発明は画像処理装置及び画像データの処理方法に関し、特に、光学的に画像原稿を走査して画像を読み取る際にスミアによる異常画像を補正する画像処理装置及び画像データの処理方法に関する。
【背景技術】
【０００２】
従来より、画像読取装置において原稿を走査するイメージセンサとして密着型イメージセンサ（以下、ＣＩＳ）を使用したものがある。このタイプの装置は、原稿面に光を照射するために、ＲＧＢ各色成分の光を照射する３つのＬＥＤを順次切り替えて使用するため画像データは１ライン色成分の順に読み出される線順次読み出しとなる。
【０００３】
図８は画像読み取り時のＬＥＤ点灯、読み出しのタイミングチャートを示す。
【０００４】
図８に示すように、１ライン（信号Ｌsyncの周期）を３つの期間（信号Ｈsyncの周期）に分割し、赤色ＬＥＤ（ＬＥＤ＿Ｒ）、緑色ＬＥＤ（ＬＥＤ＿Ｇ）、青色ＬＥＤ（ＬＥＤ＿Ｂ）の順でＬＥＤを点灯させ、電荷の蓄積を行う。蓄積された電荷は次の周期の信号Ｈsyncの期間中にＬＥＤ外部に転送される。例えば、期間“Ａ”の間には、赤色ＬＥＤによる露光と電荷蓄積が行われ、同時に前のラインでの青色ＬＥＤによる露光と電荷蓄積で得られた電荷が外部に転送される。
【０００５】
図９はイメージセンサの概略構成を示す図である。
【０００６】
ＬＥＤにより光が画像原稿に照射され、その画像原稿により反射された反射光がフォトダイオード２０１のアレイに入射すると画像信号を生成するための電荷蓄積が行われる。フォトダイオード２０１のアレイで蓄積された信号電荷が垂直転送レジスタ２０２に送られると、その信号電荷は水平転送されるまでの期間保持されており、転送タイミングが来ると水平転送レジスタ２０３へ送られる。その後、水平転送レジスタ２０３を経由して出力回路（不図示）に転送される。
【０００７】
このような構成において、フォトダイオード２０１以外の各部は遮光アルミ（不図示）によって遮光され、不要な電荷の発生を防止している。ところが、装置や素子のレイアウト上の制限などの理由で十分な遮光ができないことがある。例えば、電気信号の伝送に用いる配線アルミを遮光にも利用している場合、当然に同電位でない配線を配置する場合には、これに信号線を接続することができない。そのため、異電位部分にはアルミ配線のスリットができてしまい、他の部分に比べて遮光強度が弱くなる。この場合、そのスリット部分から不要光が入射し、不要電荷が発生し、正規の信号に不要電荷が加算されることになり、正規の信号よりも高い強度（より明るい状態を示す信号）を出力してしまうことになる。この現象はスミアと呼ばれている。
【０００８】
スミアの根本対策は不要光の入射を防ぐことである。例えば、垂直転送レジスタ及び水平転送レジスタなどの電荷転送部に入射した不要光によりスミアが発生しているのであれば、その上部の遮光を強化して不要光の入射を防ぐことが根本対策になり得る。しかしながら、近年の装置では、コストダウン対策により回路基板媒体のウェハー面積は小さくなり、アルミ遮光効果が出にくくなっている。ただし、アルミ遮光効果の程度は、アルミ遮光板の作成精度に依存するためばらつきが小さい。また、アルミ遮光板の構造的な問題であるので、入射光量が同じであれば発生場所も同じである。
【０００９】
従来より、このスミアによる画質の劣化を補正するための対策が提案されている。例えば、特許文献１では、撮像のために有効な複数の受光素子で生成された電荷が電荷転送部へ転送された後、電荷転送部が受け取った電荷の転送動作に加えて実行される追加転送動作による出力信号から得られるデータにより補正用データを生成している。
【先行技術文献】
【特許文献】
【００１０】
【特許文献１】特開２００７−２０１５５３号公報
【発明の概要】
【発明が解決しようとする課題】
【００１２】
また、スミアが原因の出力レベル変動はＬＥＤからの照射光量によって影響の度合いが変化するため、その光量を一律減算する方法では補正は不可能である。例えば、赤色ＬＥＤと緑色ＬＥＤと青色ＬＥＤを順次切り換え点灯させて読み出す線順次読み取り方式であれば原稿のカラーバランスによって、ＲＧＢ各色成分の輝度レベルが変化する。この輝度レベルとは、原稿に光を照射し、その反射光から得た反射光量レベルであり、反射光量レベルが変化するとスミア量も変化することになり、一律の補正は効果がない。
【００１３】
そもそも、スミアは電荷転送と露光を同時に行うことで発生するため、露光と電荷転送を別期間に行うことで発生を防ぐことができる。しかしながら、別期間に露光と電荷転送を行なうと、画像読取時間が増えるため、パフォーマンスが低下してしまう。
【００１４】
一方で、電荷転送を高速に行うことで電荷転送に必要な時間を短縮することも考えられる。電荷転送に必要な時間を短縮できれば、残った時間で露光を行うことで電荷転送と露光を別期間にすることも可能になる。しかしながら、電荷の高速転送を実現するためには高速クロックが必要になり不要輻射が大きくなり雑音が増えるという弊害がある。
【００１５】
また、光源からの照射光量を増やすことで露光時間を短くすることでも電荷転送と露光を別期間にすることも可能である。しかしながら、高出力の光源を備えることは装置のコストアップや高出力光源からの発熱の影響による光量変動などの弊害を生じさせる。
【００１６】
本発明は上記従来例に鑑みてなされたもので、コストアップや性能低下を生じさせることなく効果的なスミア補正が可能な画像処理装置及び画像データの処理方法を提供すること目的としている。
【課題を解決するための手段】
【００１７】
上記目的を達成するために本発明の画像処理装置は次のような構成からなる。
【００１８】
即ち、発光部と複数の光電変換素子がライン状に並ぶ光電変換部と前記光電変換部に蓄積された電荷を転送する転送部とを有するイメージセンサから出力される複数画素からなる画像データを取得する第１取得手段と、前記転送部に発生するスミアに関し、前記発光部が発光する第１の色成分に対応し、補正対象の画素に対応する基準スミア量の情報を取得する第２取得手段と、前記発光部が第２の色成分を発光中に前記転送部を介して転送されることにより前記第１取得手段が取得した画像データの前記第１の色成分の輝度値と前記第１取得手段が取得した画像データの前記第２の色成分の輝度値との差と、前記基準スミア量の情報とに基づいて、前記第１取得手段が取得した画像データの輝度値を補正する補正手段とを有することを特徴とする。
【００１９】
また本発明を別の側面から見れば、発光部と複数の光電変換素子がライン状に並ぶ光電変換部と前記光電変換部に蓄積された電荷を転送する転送部とを有するイメージセンサが出力した画像データの処理方法であって、画像処理装置は、前記イメージセンサから出力される複数画素からなる画像データを取得し、前記転送部に発生するスミアに関し、前記発光部が発光する第１の色成分に対応し、補正対象の画素に対応する基準スミア量の情報を取得し、前記発光部が第２の色成分を発光中に前記転送部を介して転送されることにより、前記イメージセンサが出力した前記画像データの前記第１の色成分の輝度値と前記画像データの前記第２の色成分の輝度値との差と、前記基準スミア量の情報とに基づいて、前記イメージセンサが出力した画像データの輝度値を補正することを特徴とする画像データの処理方法を備える。
【発明の効果】
【００２０】
従って本発明によれば、スミアの発生が避けられないイメージセンサを使用して画像読取を行なう際にも、装置のコストアップや読取性能の低下を生じさせずにスミアの影響を低減させることができるという効果がある。
【図面の簡単な説明】
【００２１】
【図１】本発明の代表的な実施例である画像読取装置の概略構成を示す側断面図である。
【図２】コンタクトイメージセンサ（ＣＩＳ）ユニットの詳細な構造を示す側断面図である。
【図３】画像読取装置の制御回路の構成を示すブロック図である。
【図４】スミア補正の概略を示した図である。
【図５】補正対象画素の様子を表す模式図である。
【図６】濃度差と補正量の相関を表した図である。
【図７】スミア補正の処理概要を示すフローチャートである。
【図８】線順次読取りの代表的なタイミングを示す図である。
【図９】イメージセンサの概略構成を示す模式図である。
【発明を実施するための形態】
【００２２】
以下添付図面を参照して本発明の好適な実施例について、さらに具体的かつ詳細に説明する。ただし、この実施例に記載されている構成要素の相対配置等は、特定の記載がない限りは、この発明の範囲をそれらのみに限定する趣旨のものではない。
【００２３】
図１は本発明の代表的な実施例であるＣＩＳを使用して反射原稿を読み取る画像読取装置（スキャナ）の構成を示す側断面図である。
【００２４】
図１に示すように、画像原稿（不図示）は原稿台ガラス２０に載置され、原稿圧板３０により、その画像原稿の原稿台ガラス２０に対する浮きを押さえる。また、原稿圧板３０は原稿台ガラス２０の汚れ／破損防止用カバーとしても機能する。
【００２５】
ＬＥＤランプと導光体から構成される光源（発光部）４０により画像原稿を照射すると、レンズアレイ５０を介して密着型イメージセンサ（ＣＩＳ）６０により、画像原稿からの反射光を等倍で読み取る。光源４０とＣＩＳセンサ６０によりＣＩＳユニット３００を構成し、ＣＩＳユニット３００は原稿台ガラス２０に密着するように配置される。
【００２６】
この装置では、ＣＩＳユニット３００をモータ７０により矢印Ｂの方向（副走査方向）に移動させながら、ＣＩＳユニット３００を紙面とは垂直（一般には交差）方向（主走査方向）に電気的に走査することにより画像原稿を読み取る。一般的に、モータ７０にはステッピングモータやＤＣモータ等が用いられる。また、画像読取時には、白色基準板１０に光を照射してで、シェーディング補正を行うための基準信号を得る。白色基準板１０は、温度、湿度などの環境条件や耐久性によって色味が変動しない材料が一般的に用いられる。ＣＩＳユニット３００を移動させる機構をまとめて移動部という。
【００２７】
以上の構成において、画像原稿の読み取りが行われる際には、予め白色基準板１０を用いたシェーディング補正が行われる。同時にＬＥＤ光源の調光が行われ、露光量を一定に保つ。
【００２８】
図２はコンタクトイメージセンサ（ＣＩＳ）ユニット３００の詳細な構造を示す側断面図である。
【００２９】
ＣＩＳユニット３００は、図２に示すように、光の３原色に対応して、赤色光を発光する赤色ＬＥＤ３０３と緑色光を発光する緑色ＬＥＤ３０４と青色光を発光する青色ＬＥＤ３０５とを備えている。原稿読取時には１ライン毎に各色ＬＥＤを時分割で点灯させ、点灯した光を導光体３０２を通して均一に原稿に対し照射しその反射光をセルフォックレンズ３０１で画素毎に集光する。その光をＣＩＳユニット内の光電変換素子（不図示：受光素子）上に結像することによって、受光光を電気信号に変換する。このようにして、ＲＧＢ各色成分の色信号からなる１ライン分の画像信号を出力する。ＣＩＳユニット３００を副走査方向に移動させることにより原稿全面の画像読取を行う。なお、セルフォックレンズ（SELFOCR lens）３０１の各セルの配列方向を示す矢印Ａの方向を主走査方向という。主走査方向と副走査方向とは互いに直交している。
【００３０】
ここで、光の３原色の色成分を、第１の色成分、第２の色成分、第３の色成分といい、具体的には、赤色成分、緑色成分、青色成分である。また、ＣＩＳユニットには光の３原色に対応して、第１の発光デバイス、第２の発光デバイス、第３の発光デバイスを備え、具体的には、赤色ＬＥＤ、緑色ＬＥＤ、青色ＬＥＤである。ＣＩＳユニット内には複数の光電変換素子がライン上に配列されているので、これら光電変換素子をまとめて光電変換部という。
【００３１】
なお、図１では、主走査方向は紙面に対して垂直方向となる。
【００３２】
このようなＣＩＳユニットの構造からも分かるように、ＣＩＳユニット３００には複数の受光素子がライン状に並べて配列されて受光部を構成する。従って、構造的にもＣＩＳユニットの受光部からの電荷転送部には潜在的にスミアが発生しやすい。
【００３３】
図３は画像読取装置の制御回路の構成を示すブロック図である。
【００３４】
ＣＩＳユニット３００はＬＥＤ駆動回路（ドライバ）４０３において１ライン毎に各色のＬＥＤ３０３〜３０５を切り替えて点灯させることにより、線順次にカラー画像を読み取る。ＬＥＤ３０３〜３０５は原稿への照射光量を変化させることが可能な光源である。また、ＬＥＤ駆動回路４０３はＬＥＤ３０３〜３０５を任意に点灯させることが可能である。
【００３５】
即ち、ＬＥＤ３０３〜３０５を１つずつ順次点灯させることも、２つずつ順次点灯させることも、場合によっては３つ全て点灯させることも可能である。増幅器（ＡＭＰ）４０４はＣＩＳユニット３００より出力された信号を増幅し、Ａ／Ｄ変換回路４０５はその増幅された電気信号をＡ／Ｄ変換して、例えば、各画素各色成分１６ビットのデジタル画像データを出力する。Ａ／Ｄ変換回路４０５を含め、Ａ／Ｄ変換のために必要な構成をまとめて変換部という。画像処理部６００は、Ａ／Ｄ変換回路４０５によって変換されたデジタル画像データを処理する。インタフェース４０６は画像処理部６００から画像データを読み込んで、外部装置４１２との間で制御データの授受や画像データの出力を行う。外部装置４１２とは、例えば、パーソナルコンピュータ（不図示）などである。そして、画像読取（スキャン）等の指示がパーソナルコンピュータをインタフェース４０６を介してＣＰＵ４０９に発令される。
【００３６】
なお、図１に示した画像読取装置は外部装置４１２と接続して動作する単機能（スキャナ機能）の装置であるが、この画像読取装置を画像記録部７００と一体化して多機能プリンタとして構成しても良い。この場合、画像処理部６００からの画像データは画像記録部７００に出力することができる。
【００３７】
そして、インタフェース４０６からの画像データを画素毎に「記録する」「記録しない」の２値データに変換し、記録媒体に記録剤を用いて画像を記録する。画像記録部７００には、インクジェットプリンタ、電子写真方式を用いたレーザビームプリンタ、或は昇華型プリンタなどを用いることができる。これらのプリンタについては公知なので、ここではその詳細な説明は省略する。
【００３８】
操作部４からの動作指示は、マイクロコンピュータ形態のＣＰＵ４０９により制御される。その制御はＲＯＭ４１０に格納された処理プログラムをＣＰＵ４０９が読み出し、ＲＡＭ４１１を作業領域として用いて実行される。さらに、図３において、４０７は、例えば、水晶発振器などの基準信号発振器（ＯＳＣ）、４０８はＣＰＵ４０９の設定に応じて基準信号発振器４０７の出力を分周して動作の基本となる各種タイミング信号を発生するタイミング信号発生回路である。
【００３９】
ＬＥＤ４１４はＬＣＤ１１０のバックライト光源となるＬＥＤであり、タイミング信号発生回路４０８から出力される点灯信号により点灯制御される。
【００４０】
この実施例では、線順次読み取り方式を用い、赤色ＬＥＤからの照射光が青色ＬＥＤの照射により得られた電荷の転送に影響を与える場合の補正を例に説明する。なお、赤色ＬＥＤからの照射光により得られた反射光で電荷を蓄積しその蓄積電荷を転送する構成をＲチャネルという。同様に、緑色ＬＥＤからの照射光により得られた反射光で電荷を蓄積しその蓄積電荷を転送する構成をＧチャネル、青色ＬＥＤからの照射光により得られた反射光で電荷を蓄積しその蓄積電荷を転送する構成をＢチャネルという。
【００４１】
まず、スミアの基準量を測定する方法を説明する。スミアはカラー画像原稿を読み取った際の各色成分の輝度値の差に比例して読み取り結果への影響が大きくなる。例えば、Ｒ成分の輝度値＝Ｂ成分の輝度値であれば、読み取り結果にスミアの影響は発生しない。
【００４２】
ところが、Ｒ成分の輝度値≫Ｂ成分の輝度値であれば、スミアの影響は大きくなる。この場合、Ｂチャネルの受光光量が非常に小さく、Ｒチャネルの受光光量は大きいことが推測され、Ｒチャネルの受光光量がＢチャネルにスミアの影響を与え、その結果が読み取り結果となって読取画像データに影響を与えることになる。このように、Ｒ成分の輝度値レベルとＢ成分の輝度値レベルとの関係と読み取り結果へのスミアの影響の度合いを測定することで、輝度レベル条件とスミアの基準量とする。例えば、ＲＧＢ各色成分の各画素を８ビットで表現すると、ＲＧＢ各色成分各画素の輝度値レベルは０〜２５５となる。ここで、Ｒ成分の輝度値レベル＝２００、Ｂ成分の輝度値レベル＝２０の画像原稿を読み取った結果の画像データがあるとする。その画像データ内には、スミアの影響を受けた画素の位置にはスミアによる輝度異常が発生する。例えば、Ｂ成分の輝度値レベル＝２０であるが、スミアの影響を受けた画素の輝度値が２５だとすれば、正しい輝度値を得るために、その輝度値に対する補正が必要である。この補正をスミア補正という。
【００４３】
次に、調光処理について説明する。この実施例の画像読取装置では画像読取開始の前に光源の調光処理を行う。ＬＥＤは大きな固体ばらつきを持っているため、そのままではスミア量を正確に推測することができない。そのため、予め輝度値レベルが分かっている白色基準板を読み取り、出力レベルを目標値に合わせるように点灯期間を可変させ、ＬＥＤからの発光光量を一定に保つ。こうして、発光光量を規格化することで発生するスミア量が推測可能になる。
【００４４】
図４はスミア補正の概略を示した図である。このスミア補正はこの実施例では画像処理部６００で実行される。予め決められた基準スミア量データ（Ｓ（Ｂ）ref）１０３は画像処理部６００のＲＯＭ（第１のメモリ）などに格納される。基準スミア量データ１０３は、各補正対象画素固有の値であり、各色成分について主走査方向の各画素についてのデータが格納される。
【００４５】
画像処理部６００には連続する２ライン分（複数ライン分）のＲＢＧ各色成分データを各ラインずつ保持する２つのメモリ１０１、１０２が備えられる。これらは、基準スミア量データを格納するＲＯＭ（第１のメモリ）に対して第２のメモリとも言う。また、画像処理部６００には基準スミア量データ１０３と現ラインデータと次のラインデータをもとに補正量を算出する補正演算器１０５と補正対象画素から補正量Ｓ（Ｂ）を減算する減算器１０４が備えられる。補正量の算出式は式（１）に表される式により算出される。なお、減算器１０４は、ラインデータを保持するためのバッファを備えている。これにより、減算器１０４は、各ラインの画素に対する減算を行なう。
【００４６】
Ｓ（Ｂ）＝Ｓ（Ｂ）ref・｛（Ｒl−Ｂl）／（Ｒlref−Ｂlref）｝      ……（１）
ここで、Ｓ（Ｂ）はＢチャネルの補正量を表している。Ｒlは補正前のＲチャネル輝度値レベル、Ｂlは補正前のＢチャネル輝度値レベル、Ｓ（Ｂ）refはＢチャネルに発生するスミア量の基準レベル（定数）である。Ｒlrefは基準レベルが得られるときのＲチャネル輝度値レベル（定数）、Ｂlrefは基準レベルが得られるときのＢチャネル輝度値レベル（定数）である。つまり、式（１）では、２つの色成分の輝度の差分値に対して、係数を乗算する。例えば、ある画素について、Ｓ（Ｂ）ref＝５、Ｒlref＝２２０、Ｂlref＝４０であるとすれば、その係数値は５／（２２０−４０）＝１／３６である。
【００４７】
図５は補正対象画素の様子を表す模式図である。
【００４８】
この実施例では、線順次読取り方式を用いているので、副走査方向に隣接する色成分は異なるが、主走査方向に関しては同じ画素位置にある輝度値レベルから補正量を算出する。従って、図５の例では、Ｌライン、Ｎ画素のＲＧＢ各色成分のデータをＲ（Ｎ，Ｌ）、Ｇ（Ｎ，Ｌ）、Ｂ（Ｎ，Ｌ）とするとき、Ｂ（Ｎ，Ｌ）の補正量は、Ｒ（Ｎ，Ｌ＋１）の輝度値レベルとＢ（Ｎ，Ｌ）の輝度値レベルとをもとに算出する。画像処理部６００は、Ｂ（Ｎ，Ｌ）の補正値に基づいて、Ｂ（Ｎ，Ｌ）を補正する。同様の処理が次の（Ｌ＋１）ラインに対してなされる。即ち、画像処理部６００は、Ｒ（Ｎ，Ｌ＋２）の輝度値レベルとＢ（Ｎ，Ｌ＋１）の輝度値レベルとに基づいて、Ｂ（Ｎ，Ｌ＋１）の補正値を計算する。それから、画像処理部６００は、Ｂ（Ｎ，Ｌ＋１）の補正値に基づいて、Ｂ（Ｎ，Ｌ＋１）を補正する。
【００４９】
図４を参照して説明した画像処理部６００を用いる場合、メモリ１０１にはＬラインの画像データが格納されており、メモリ１０２には（Ｌ＋１）ラインの画像データが格納されている。そして、（Ｌ＋１）ラインのＲチャネルの画像データとＬラインのＢチャネルの画像データと基準スミア量とを用いて式（１）を用いて補正量を算出する。なお、次のラインの処理を行う場合には、画像処理部６００は、メモリ１０１に（Ｌ＋２）ラインの画像データを格納する制御を行う。
【００５０】
図６は濃度差と補正量の相関を表した図である。スミア補正量のベースとなる基準量はある条件のもとで測定される。図６に示すように、その時の濃度差と原点を結んだ直線が補正量と濃度差の関係式となる。
【００５１】
図７はスミア補正の処理概要を示すフローチャートである。
【００５２】
スミア補正が実装されている画像読取装置ではまず、ステップＳ７０１でスミアが発生する画素を特定し、特定した画素を画素アドレスとして設定する。ステップＳ７０２では、ステップＳ７０１で設定された画素アドレスに対応する基準スミア量を設定する。この基準スミア量は、画素ごとに予め測定されたスミア量をベースに算出されたものである。
【００５３】
ステップＳ７０３で画像原稿の読み取りが開始されると、ＣＩＳユニット３００から入力したステップＳ７０４では２ライン分の画像データをラインバッファとして機能するメモリ１０１、１０２に格納する。ステップＳ７０５では処理ラインが最終ラインに達したかどうかを調べ、最終ラインに達していない場合には処理はステップＳ７０６に進み、補正対象画素をサーチ開始する。これに対して、処理が最終ラインに達した場合には、この処理を終了する。ここでいうラインとは副走査方向に関する画像読取ラインをいう。
【００５４】
さらに、ステップＳ７０７では画素を主走査方向に順番に確認する。ステップＳ７０８では処理対象ラインでサーチ対象画像が主走査方向の最終画素に達したかどうかを確認する。ここで、最終画素に達したなら処理はステップＳ７０４に進み、最終画素に達してないなら、処理はステップＳ７０９に進み、補正対象画素かどうかを確認する。ここで、補正対象画素である場合には処理はステップＳ７１０において図４〜図５を参照して説明した補正を行う。これに対して、補正対象画素でない場合は補正を行わず、処理はステップＳ７０７に進む。
【００５５】
従って以上説明した実施例に従えば、ある色のＬＥＤの照射により電荷を蓄積中に、予め測定して格納しておいた基準スミア量を用いて補正量を求め、その補正量で輝度値レベルを補正することができる。これにより、線順次読み取り方式に従って、画像読取のためのある色成分についての電荷蓄積と別の色成分についての電荷伝送を同時に行なう場合にも、スメアの補正を行なうことができるので、より正確な画像読取を行なうことが可能になる。なお、上述の実施例において、Ｂ（Ｎ，Ｌ）の補正量は、Ｒ（Ｎ，Ｌ＋１）の輝度値レベルをもとに算出したが、更にＲ（Ｎ＋１，Ｌ＋１）の輝度値レベルとＲ（Ｎ−１，Ｌ＋１）の輝度値レベルに基づいて算出する形態でも構わない。
【００５６】
即ち、画像処理部６００は、Ｒ（Ｎ，Ｌ）の輝度値レベルとＧ（Ｎ，Ｌ）の輝度値レベルとに基づいて、Ｒ（Ｎ，Ｌ）の補正量を計算する．そして、画像処理部６００は、Ｒ（Ｎ，Ｌ）の補正量に基づいて、Ｒ（Ｎ，Ｌ）を補正する。同様に、画像処理部６００は、Ｇ（Ｎ，Ｌ）の輝度値レベルとＢ（Ｂ，Ｌ）の輝度値レベルとに基づいて、Ｇ（Ｎ，Ｌ）の補正量を計算する。そして、画像処理部６００は、Ｇ（Ｎ，Ｌ）の補正量に基づいて、Ｇ（Ｎ，Ｌ）を補正する。
【００５７】
また、この実施例によれば、特別な素子や機器を用いた構成は必要ないので安価にスメア補正を行なうことができるという利点もある。加えて、ある色成分についての電荷蓄積と別の色成分についての電荷伝送を同時に行なうことが可能なので、読取速度を高速に維持することも可能になる。
【図１】
0005847441.tif 000002
【図２】
0005847441.tif 000003
【図３】
0005847441.tif 000004
【図４】
0005847441.tif 000005
【図５】
0005847441.tif 000006
【図６】
0005847441.tif 000007
【図７】
0005847441.tif 000008
【図８】
0005847441.tif 000009
【図９】
0005847441.tif 000010